(57)【特許請求の範囲】
【請求項１】
構造物の近傍に構築する仮設足場の模型であって、
上下に継ぎ足し可能に形成される支柱部材と、
前記支柱部材を前記構造物に垂直な方向に連結するブラケット部材と、
前記支柱部材を前記構造物に平行な方向に連結する手摺部材と、
前記ブラケット部材間に架け渡される足場板部材と、を備え、
前記支柱部材は、前記ブラケット部材の先端が嵌合するブラケット嵌合部と、前記手摺部材の先端が嵌合する手摺嵌合部と、が一方の端部に設けられた第１部材と、前記第１部材の前記一方の端部に嵌合する第２部材と、から構成されることを特徴とする、仮設足場の模型。
【請求項２】
現実の仮設足場と前記仮設足場の模型の縮尺を１／１０とすることを特徴とする、請求項１に記載された仮設足場の模型。
【発明の詳細な説明】
【技術分野】
【０００１】
本発明は、構造物の近傍に構築する仮設足場の模型に関するものである。
【背景技術】
【０００２】
従来から、建設現場等で用いられる仮設足場の構築は、足場の縦枠である支柱に、横枠としての機能を持つ手摺を連結して足場枠を組み上げ、これらに足場板などを敷設して行われる。このような仮設足場を組み上げる作業は、実際の建設現場において実施されるのであるが、全体を俯瞰してみることができないため、熟練者が初心者に教示することが困難であった。
【０００３】
これに関連して、例えば特許文献１には、住宅建築工法の手順を紹介する模型を配置し、模型は建築手順に則って徐々に住宅を建設する方向に成長させ、模型展示装置に併置して、実際の住宅の建設状態を示す画面を別のディスプレイで表示することが記載されている。
【先行技術文献】
【特許文献】
【０００４】
【特許文献１】特開平１０−２０７７１号公報
【発明の概要】
【発明が解決しようとする課題】
【０００５】
しかしながら、特許文献１は、初心者である作業者に仮設足場の組み上げ手順を教示するためのものではないうえ、実際に手を動かして作業するものではないため、仮設足場の組み上げ手順を解説するのには不向きであった。
【０００６】
そこで、本発明は、仮設足場の組み上げ手順を解説するのに適した、仮設足場の模型を提供することを目的としている。
【課題を解決するための手段】
【０００７】
前記目的を達成するために、本発明の仮設足場の模型は、構造物の近傍に構築する仮設足場の模型であって、上下に継ぎ足し可能に形成される支柱部材と、前記支柱部材を前記構造物に垂直な方向に連結するブラケット部材と、前記支柱部材を前記構造物に平行な方向に連結する手摺部材と、前記ブラケット部材間に架け渡される足場板部材と、を備えることを特徴とする。
【０００８】
また、本発明の仮設足場の構築手順の教示方法は、上述した仮設足場の模型を用いた仮設足場の構築手順の教授方法であって、図面を用いて実際の仮設足場の寸法を計算するステップと、前記実際の仮設足場の寸法から前記仮設足場の模型の寸法を計算するステップと、前記仮設足場の模型を構造物の模型の近傍に構築するステップと、実際の構造物の近傍に実際の仮設足場を構築するステップと、を備える。
【発明の効果】
【０００９】
このように、本発明の仮設足場の模型は、支柱部材と、ブラケット部材と、手摺部材と、足場板部材と、を備えている。このため、構造物を俯瞰しつつ、手を動かして作業することで、仮設足場の構築手順を解説しやすくなる。
【００１０】
さらに、本発明の仮設足場の構築手順の教授方法は、実際の仮設足場の寸法を計算するステップと、仮設足場の模型の寸法を計算するステップと、仮設足場の模型を構造物の模型の近傍に構築するステップと、実際の構造物の近傍に実際の仮設足場を構築するステップと、を備えている。このため、仮設足場の組み上げ手順を容易に解説することができる。
【図面の簡単な説明】
【００１１】
【図１】仮設足場の模型の全体斜視図である。
【図２】支柱部材の説明図である。（ａ）は側面図であり、（ｂ）は平面図である。
【図３】ブラケット部材の説明図である。（ａ）は側面図であり、（ｂ）は正面図である。
【図４】手摺部材の説明図である。（ａ）は側面図であり、（ｂ）は正面図である。
【図５】足場板部材の説明図である。（ａ）は側面図であり、（ｂ）は平面図である。
【図６】筋交部材の側面図である。
【図７】ジャッキベース部材の説明図である。（ａ）は側面図であり、（ｂ）は平面図である。
【図８】変形例のジャッキベース部材の説明図である。（ａ）は側面図であり、（ｂ）は平面図である。
【発明を実施するための形態】
【００１２】
以下、本発明の実施の形態について図面を参照して説明する。
【実施例】
【００１３】
（構成）
まず、図１を用いて本発明の仮設足場の模型１の全体構成を説明する。本発明の仮設足場の模型１は、図１に示すように、構造物の近傍に構築する仮設足場の模型１であって、上下に継ぎ足し可能に形成される支柱部材２と、支柱部材２を構造物に垂直な方向に連結するブラケット部材３と、支柱部材２を構造物に平行な方向に連結する手摺部材４と、ブラケット部材３、３間に架け渡される足場板部材５と、支柱部材２に斜めに架け渡される筋交部材６と、下端に配置されて接地するジャッキベース部材７と、を備えている。なお、各部材は合成樹脂によって射出成形することを前提として説明するが、例えば、合金などの他の材料によっても成形することができる。
【００１４】
支柱部材２は、図２に示すように、第１部材２１と第２部材２２とによって、全体として概略棒状に構成される。第１部材２１は、上端部に外径が縮小された挿入部２１ｃを有し、下端部にブラケット部材３の先端が嵌合するブラケット嵌合部２１ａと、手摺部材４が嵌合する手摺嵌合部２１ｂと、を有し、さらに下端部には第２部材２２の挿入部（不図示）が挿入される孔（不図示）を有している。第２部材２２は、上端部に外径が縮小された挿入部（不図示）を有し、下端部に他の支柱部材２の第１部材２１の挿入部２１ｃが挿入される孔２２ａを有している。そして、第１部材２１の下端部の孔に第２部材の上端部の挿入部が挿入されて単位長さの支柱部材２を構成する。支柱部材２の長さは、現実の支柱部材の１／１０とすることが好ましく、例えば、３６０ｍｍ（現実は３６００ｍｍ）、２７０ｍｍ（現実は２７００ｍｍ）、１８０ｍｍ（現実は１８００ｍｍ）、９０ｍｍ（現実は９００ｍｍ）とされる。それぞれ、単位長さ（４５ｍｍ）の支柱部材２を８つ、６つ、４つ、２つで構成される。
【００１５】
ブラケット部材３は、図３に示すように、足場部材５が掛止される棒状の横材３１と、横材３１を下方から支える棒状の斜材３２と、横材３１と斜材３２を繋ぐ縦材３３と、を備えている。横材３１は、両端部に支柱部材２のブラケット嵌合部２１ａに嵌め込まれる嵌合部３１ａ、３１ｂを有している。さらに、斜材３２は、支柱部材２の側面に突き当てられる突当部３２ａを端部に有している。
【００１６】
手摺部材４は、図４に示すように、略水平に配置される棒状の本体部４０によって構成されており、両端部には支柱部材２の手摺嵌合部２１ｂに嵌め込まれる嵌合部４０ａ、４０ａを有している。
【００１７】
足場板部材５は、図５に示すように、矩形の網目状に形成される本体部５０と、本体部５０の四隅において長辺方向に突出した半円環状の掛止爪部５１、・・・、５１と、によって構成される。足場板部材５は、掛止爪部５１をブラケット部材３の横材３１に掛止することによって略水平に配置される。
【００１８】
筋交部材６は、図６に示すように、棒状の本体部６０と、本体部６０の両端に配置されて支柱部材２の手摺嵌合部２１ｂに嵌め込まれる掛止部６１、６１と、を備えている。
【００１９】
ジャッキベース部材７は、図７に示すように、円錐状に形成されたベース部７１と、ベース部７１に略垂直に突設される円柱部７２と、円柱部７２に嵌められて高さを調節するための１つ又は複数の円筒部７３ａ、７３ｂと、を有している。円柱部７２は支柱部材２の孔２２ａよりも長く形成されており、最も上にある円筒部７３ｂ（７３ａ）の上方に支柱部材２が載せられるため、介在させる円筒部７３ａ、７３ｂの種類・個数によって高さを調整することができる。
【００２０】
変形例の傾斜自在のジャッキベース部材７Ａは、図８に示すように、矩形板状に形成されたベース部７１と、ベース部７１に回転自在に軸支される円柱部７２と、円柱部７２に嵌められて高さを調節するための１つ又は複数の円筒部７３ａ、７３ｂと、を有している。すなわち、円柱部７２の下端にＴ字に分岐した回転軸が形成され、この回転軸がベース部７１に設けた円筒状の軸受に支承されている。円柱部７２は支柱部材２の孔２２ａよりも長く形成されており、最も上にある円筒部７３ｂ（７３ａ）の上方に支柱部材２が載せられるため、介在させる円筒部７３ａ、７３ｂの種類・個数によって高さを調整することができる。
【００２１】
（教授方法）
次に、本実施例の仮設足場の模型１を用いた、仮設足場の構築手順の教授方法について説明する。本実施例の仮設足場の構築手順の教授方法は、上述したいずれかの仮設足場の模型１を用いた仮設足場の構築手順の教授方法であって、図面を用いて実際の仮設足場の寸法を計算するステップＳ１と、実際の仮設足場の寸法から仮設足場の模型１の寸法を計算するステップＳ２と、仮設足場の模型１を構造物の模型の近傍に構築するステップＳ３と、実際の構造物の近傍に実際の仮設足場を構築するステップＳ４と、を含む。
【００２２】
実寸を計算するステップＳ１では、建物の平面図や立面図などの図面において、建物の近傍に仮設足場を描くとともに、仮設足場の各部材の実寸を計算する。
【００２３】
模型寸法を計算するステップＳ２では、ステップＳ１で計算された仮設足場の各部材の実寸を、１０で割ることによって（すなわちゼロを１つとることによって）、仮設足場の模型寸法を計算する。例えば、実寸が１８００ｍｍの場合には、模型寸法は１８０ｍｍとなる。逆に、模型寸法を測ったうえで、模型寸法を１０倍することによって、仮設足場の実寸を計算することもできる。
【００２４】
模型を構築するステップＳ３では、計算された仮設足場の模型寸法や図面に基づいて、手を動かしながら仮設足場の模型１を構築する。この際、現場での実際の組立手順にしたがって構築していくことが好ましい。
【００２５】
現実に構築するステップＳ４では、構築された仮設足場の模型１に基づいて、現場において仮設足場を組み上げていく。この際、現場での仮設足場の模型１の組立手順にしたがって再現していくことが好ましい。さらに、上述していないが、現場監督との打ち合わせも、随時実施されることになる。
【００２６】
（効果）
次に、本実施例の仮設足場の模型１の奏する効果を列挙して説明する。
【００２７】
（１）上述してきたように、本実施例の仮設足場の模型１は、構造物の近傍に構築する仮設足場の模型１であって、上下に継ぎ足し可能に形成される支柱部材２と、支柱部材２を構造物に垂直な方向に連結するブラケット部材３と、支柱部材２を構造物に平行な方向に連結する手摺部材４と、ブラケット部材３、３間に架け渡される足場板部材５と、を備えている。このような仮設足場の模型１を用いることで、実物の仮設足場と略同一の構造であることによって、構造物を俯瞰しつつ、手を動かして組立作業することで、仮設足場の配置や構築手順を理解しやすくなる。つまり、従来は、実際に現場において作業することでしか体得できなかったことを、室内で小規模に再現することによって疑似的に効率よく仮設足場の構築を体得することができるのである。
【００２８】
（２）ここにおいて、現実の仮設足場と仮設足場の模型１の縮尺を１／１０とすることが好ましい。これによって、現実の仮設足場の寸法を１０で除す（割る）ことによって、きわめて容易に仮設足場の寸法を計算できる。さらに、仮設足場の模型１の寸法を１０倍することで、すなわちゼロを１つ追加することで、きわめて容易に現実の仮設足場の寸法を計算することができる。これによって、模型で再現する際には、実寸を意識しつつ再現することができる。
【００２９】
（３）また、支柱部材２の最下部に嵌合するジャッキベース部材７（７Ａ）をさらに備え、ジャッキベース部材７は、ベース部７１と、ベース部７１に突設される円柱部７２と、円柱部７２に嵌められて高さを調節する１つ又は複数の円筒部７３と、を有している。このため、模型によって再現しにくい細かい部分の機能を再現することができる。すなわち、円筒部７３の種類や個数を調整することによって、ジャッキベース部材７（７Ａ）によって、高さを調節できる。
【００３０】
（４）支柱部材２は、ブラケット部材３の先端が嵌合するブラケット嵌合部２１ａと、手摺部材４の先端が嵌合する手摺嵌合部２１ｂと、が一方の端部に設けられた第１部材２１と、第１部材２１の一方の端部に嵌合する第２部材２２と、から構成される。このように構成されるため、単位長さの支柱部材２（１単位）を連結していくことによって、１単位の構造のみによって、異なる長さの支柱部材２を形成できる。つまり、成形型を異なる長さごとに準備することなく、異なる長さの支柱部材２を形成できる。
【００３１】
（５）そして、本実施例の仮設足場の構築手順の教授方法は、上述したいずれかの仮設足場の模型１を用いた仮設足場の構築手順の教授方法であって、図面を用いて実際の仮設足場の寸法を計算するステップＳ１と、実際の仮設足場の寸法から仮設足場の模型１の寸法を計算するステップＳ２と、仮設足場の模型１を構造物の模型の近傍に構築するステップＳ３と、実際の構造物の近傍に実際の仮設足場を構築するステップＳ４と、を含んでいる。したがって、仮設足場の組み上げ手順や配置方法を容易に解説することができる。さらに、模型によって模擬的に一度構築しているため、現場において構造物と干渉してしまったり、足場と構造物の距離が大きくなってしまったり、といった不具合も生じにくくなる。
【００３２】
以上、図面を参照して、本発明の実施例を詳述してきたが、具体的な構成は、この実施例に限らず、本発明の要旨を逸脱しない程度の設計的変更は、本発明に含まれる。
【００３３】
例えば、図示しなかったが、仮設足場の模型１には、階段、張出ブラケット、先行手摺、壁当ジャッキ、パイプジャッキ、などの他の部材を含むことができる。
【００３４】
また、実施例では特に説明しなかったが、教授しやすいように、各部材にマークをつけたり、着色したり、番号をつけたり、といった各種の改良ができることはもちろんである。さらに、構造物を目立たせるために、透明な樹脂によって仮設足場の模型を構築することなどもできる。
【符号の説明】
【００３５】
１          仮設足場の模型
２          支柱部材
２１        第１部材
２２        第２部材
３          ブラケット部材
４          手摺部材
５          足場板部材
６          筋交部材
７、７Ａ    ジャッキベース部材
７１        ベース部
７２        円柱部
７３        円筒部
【要約】
【課題】仮設足場の組み上げ手順を解説するのに適した仮設足場の模型を提供する。
【解決手段】構造物の近傍に構築する仮設足場の模型１である。そして、上下に継ぎ足し可能に形成される支柱部材２と、支柱部材２を構造物に垂直な方向に連結するブラケット部材３と、支柱部材２を構造物に平行な方向に連結する手摺部材４と、ブラケット部材３、３間に架け渡される足場板部材５と、を備える。この場合、現実の仮設足場と仮設足場の模型１の縮尺を１／１０とすることが好ましい。
【選択図】図１【図１】
0005888829.tif 000002
【図２】
0005888829.tif 000003
【図３】
0005888829.tif 000004
【図４】
0005888829.tif 000005
【図５】
0005888829.tif 000006
【図６】
0005888829.tif 000007
【図７】
0005888829.tif 000008
【図８】
0005888829.tif 000009